(57)【要約】【課題】  原稿面の清掃効率を向上することができる画像読み取り装置を提供する。【解決手段】  原稿移動型の画像読み取り装置において、原稿面から付着物を取り除き清掃するための弾性を有する清掃手段（クリーニングブレード１２、清掃ブラシローラ１４）を備えた。【選択図】  図２
2007124545.tif 000002
【特許請求の範囲】
【請求項１】
原稿移動型の画像読み取り装置において、原稿の搬送経路に沿って配置されることにより通過する原稿面から付着物を取り除き清掃するための弾性を有する清掃手段を備えたことを特徴とする画像読み取り装置。
【請求項２】
請求項１記載の画像読み取り装置において、前記清掃手段として、原稿を搬送する搬送ローラとの間で原稿を挟持するクリーニングブレードを用いたことを特徴とする画像読み取り装置。
【請求項３】
請求項２記載の画像読み取り装置において、前記搬送ローラは軸方向に複数個間隔を隔てて配置され、隣接する搬送ローラ間にクリーニングブレードに圧接する対向ローラを設けたことを特徴とする画像読み取り装置。
【請求項４】
請求項３記載の画像読み取り装置において、原稿面の付着物とクリーニングブレードの付着物を清掃するために、清掃手段として、原稿通紙方向と同方向に回転する清掃ブラシローラを設けたことを特徴とする画像読み取り装置。
【請求項５】
請求項４記載の画像読み取り装置において、前記清掃ブラシローラは導電性材料にて構成されていることを特徴とする画像読み取り装置。
【請求項６】
請求項５記載の画像読み取り装置において、清掃した付着物を受けるための回収容器を前記クリーニングブレードの下部に配置することを特徴とする画像読み取り装置。
【請求項７】
請求項６記載の画像読み取り装置において、前記回収容器は弾性部材にて構成され、装置本体に対して着脱自在であることを特徴とする画像読み取り装置。
【請求項８】
請求項６記載の画像読み取り装置において、前記回収容器に、付着物の飛散を防止する飛散防止部材を交換可能に設けたことを特徴とする画像読み取り装置。
【請求項９】
請求項１乃至８の何れか一項に記載の画像読み取り装置を搭載したことを特徴とする画像形成装置。
【発明の詳細な説明】
【技術分野】
【０００１】
本発明は、原稿移動型の画像読み取り装置及びその画像読み取り装置を搭載した画像形成装置に関する。
【背景技術】
【０００２】
搬送ローラで搬送される原稿がシートスルーコンタクトガラス上を通過する過程で、下方の光学系により原稿画像を読み取る原稿移動型の画像読み取り装置が広く知られている。
図３は従来の画像読み取り装置に装備される原稿面清掃機構の構成図であり、原稿Ｏを読み取り、装置の本体部に挿入・搬送するための搬送ローラ１０１、従動ローラ１０２、１０３、１０４、原稿を読み取る位置に設けられたシートスルーコンタクトガラス５、読み取った画像をＣＣＤ１０６に結像する第１ミラー１０７、第２ミラー１０８、第３ミラー１０９、レンズブロック１１０、圧板用コンタクトガラス１１１を備える。
このような画像読み取り装置において、原稿面に粉塵を含む付着物が付着していると読み取った画像の画質が低下することになる。そこで原稿面を清掃する技術が、例えば、特許文献１及び２などにおいて既に提案されている。
【特許文献１】特開平１１−５６４５号公報
【特許文献２】特開２００１−７９８３公報
【発明の開示】
【発明が解決しようとする課題】
【０００３】
しかし、従来の原稿面清掃機構は、清掃手段が原稿面に確実に摺接する構造となっておらず、清掃効率に問題があった。
本発明は、原稿面の清掃効率を向上することができる画像読み取り装置を提供することを目的とする。
【課題を解決するための手段】
【０００４】
上記目的を達成するために、請求項１記載の発明は、原稿移動型の画像読み取り装置において、原稿面から付着物を取り除き清掃するための弾性を有する清掃手段を備えた画像読み取り装置を最も主要な特徴とする。
請求項２記載の発明は、請求項１記載の画像読み取り装置において、清掃手段として、搬送ローラとの間で原稿を挟持するクリーニングブレードを設けた画像読み取り装置を主要な特徴とする。
請求項３記載の発明は、請求項２記載の画像読み取り装置において、搬送ローラは軸方向に複数設けられ、隣接する搬送ローラ間にクリーニングブレードに圧接する対向ローラを設けた画像読み取り装置を主要な特徴とする。
請求項４記載の発明は、請求項３記載の画像読み取り装置において、原稿面の付着物とクリーニングブレードの付着物を清掃するために、清掃手段として、原稿通紙方向と同方向に回転する清掃ブラシローラを設けた画像読み取り装置を主要な特徴とする。
請求項５記載の発明は、請求項４記載の画像読み取り装置において、清掃ブラシローラは導電性材料にて構成されている画像読み取り装置を主要な特徴とする。
請求項６記載の発明は、請求項５記載の画像読み取り装置において、清掃した付着物を受けるための回収容器をリーニングブレードの下部に配置する画像読み取り装置を主要な特徴とする。
請求項７記載の発明は、請求項６記載の画像読み取り装置において、回収容器は弾性部材にて構成され、装置本体に対して着脱自在である画像読み取り装置を主要な特徴とする。
請求項８記載の発明は、請求項６記載の画像読み取り装置において回収容器に、付着物の飛散を防止する飛散防止部材を交換に設けた画像読み取り装置を主要な特徴とする。
請求項９記載の発明は、請求項１記載の画像読み取り部材を搭載した画像形成装置を最も主要な特徴とする。
【発明の効果】
【０００５】
本発明によれば、弾性を有する清掃手段（クリーニングブレード）により、原稿面（読み取り側）に確実に接触することができ、原稿面に付着した粉塵等を効率よく清掃することができる。
また、清掃ブラシローラにより、原稿面の付着物とクリーニングブレードの付着物を清掃することができる。さらに、回収容器をクリーニングブレードの下部に配置することで清掃した付着物を受けることができる。
【発明を実施するための最良の形態】
【０００６】
以下、本発明の実施形態を図面に従って説明する。
図１は本発明の実施形態に係る画像読み取り装置を備えた画像形成装置の概略構成図である。本装置は、原稿Ｏを読み取り、装置の本体部に挿入・搬送するための搬送ローラ１、従動ローラ２、３、４、原稿を読み取る位置に設けられたシートスルーコンタクトガラス５、読み取った画像をＣＣＤ６に結像する第１ミラー７、第２ミラー８、第３ミラー９、レンズブロック１０、圧板用コンタクトガラス１１、書き込みユニット２０、現像ユニット２１、感光体ユニット２２、転写ユニット２３、定着／排紙ユニット２４、給紙トレイ２５、給紙ユニット２６を備える。符号１２乃至１６のユニットに付いては図２で後述する。
原稿Ｏは、シートスルーコンタクトガラス５を通過する際に第１ミラー７についているランプ照明の反射光を第２ミラー８、第３ミラー９を経由してレンズブロック１０を通してＣＣＤ６で受光する。ＣＣＤ６で受光した画像は本体内の画像処理部にて処理され、書き込みユニット２１からのレーザ光が感光体ユニット２２に照射される。感光体では、現像ユニット２１からのトナー付着により、給紙部より搬送された転写紙へ転写ユニット２３によりトナーが転写され、最終的に定着／排紙ユニット２４を通して印刷された画像が出力される。
【０００７】
図２は図１に示す画像読み取り装置の要部拡大図である。本画像読み取り装置は、搬送される原稿Ｏの読み取り面の清掃を確実に行うために、従来装置には存在しない構成要素として、清掃を行うための弾性材からなるクリーニングブレード１２と、対向する位置に設けた対向ローラ１３と、清掃後の粉塵を回収するための清掃ブラシローラ１４と、粉塵を回収する回収容器１５と、回収容器１５内に設けられた飛散防止部材１６とを備えている。
つまり、クリーニングブレード１２は、原稿移動型の画像読み取り装置において、原稿の搬送経路に沿って配置されることにより通過する原稿面から付着物を取り除き清掃するための弾性を有する清掃手段である。
ここで、搬送ローラ１と対向ローラ１３との関係について説明する。搬送ローラ１は、軸方向（原稿Ｏの幅方向、図の鉛直方向）に所定間隔で複数個に分割して設けられており、対向ローラ１３は、隣接する搬送ローラ１の間に互い違いになるように設けられている。クリーニングブレード１２は各ローラの軸方向に原稿Ｏの幅分だけ延びる単体である。そして、クリーニングブレード１２は搬送ローラ１及び対向ローラ１３との間で用紙を圧接するように配置される。対向ローラ１３は搬送ローラ１により原稿Ｏを搬送する際に連れ回りする。
【０００８】
なお本実施形態では、円盤状の搬送ローラ１と対向ローラ１３を交互に軸方向に設けたが、原稿Ｏの幅と同等、或いはそれ以上の軸方向長を有した単体の搬送ローラ１を設ければ、対向ローラ１３は不要となる。
クリーニングブレード１２の上に位置する清掃ブラシローラ１４は、複写機本体の駆動部からのタイミング・ベルトまたはギヤ等の駆動により、原稿Ｏの搬送の妨げにならないよう原稿搬送方向と同方向に回転することにより、原稿面を清掃すると同時に、クリーニングブレード１２によって掻き取られた粉塵を、その下部に位置する回収容器１５へ落とし回収する。
また、清掃ブラシローラ１４は導電性材料にて構成されており、除電手段により帯電を防止することにより、清掃の際に粉塵が付着し原稿面に再付着するのを防止することができる。
回収容器１５は、容器自体が弾性を持っており、本体板金部材に取り付け、取り外しが容易に行える構造となっている。回収容器１５には、油分等、粘着性の材質を含んだ布状の飛散防止部材１６を設けており、ここに落とした粉塵を吸着させ、上部装置内及び原稿Ｏへの再付着を防止する。飛散防止部材１６は回収容器１５に載せてあり、容易に取り外し交換することができる。
【図面の簡単な説明】
【０００９】
【図１】本発明の実施形態に係る画像読み取り装置を備えた画像形成装置の概略構成図である。
【図２】図１に示す画像読み取り装置の要部拡大図である。
【図３】従来例の画像読み取り装置の構成説明図である。
【符号の説明】
【００１０】
１  搬送ローラ、５  シートスルーコンタクトガラス、１２  クリーニングブレード（清掃手段）、１３  対向ローラ、１４  清掃ブラシローラ（清掃手段）、１５  回収容器、１６  飛散防止部材
【図１】
2007124545.tif 000003
【図２】
2007124545.tif 000004
【図３】
2007124545.tif 000005